(57)【特許請求の範囲】
【請求項１】
隣接して並べ置いた床パネル間に床レールを配設し、この床レールに設けた両側の水平フランジをそれぞれの床パネルの端縁に固定して床パネル同士を連結すると共に、床レールに設けた凹溝に壁パネルを立設することで隣接する床パネル間を仕切るようにしたことを特徴とする組立式間仕切。
【請求項２】
前記床パネルが方形である請求項１記載の組立式間仕切。
【請求項３】
前記壁パネルの上端部に嵌め込まれた天井レールと、この天井レールに設けた水平フランジに周縁部が載置される天井パネルとを備える請求項１記載の組立式間仕切。
【請求項４】
前記床レールの凹溝の深さは、床パネルの厚さと略同一である請求項１記載の組立式間仕切。
【請求項５】
前記床レールに立設された壁パネルの端縁と、これと直交する床レールに立設された壁パネルの端縁を連結金具によって密着させた請求項１記載の組立式間仕切。
【発明の詳細な説明】
【０００１】
【発明の属する技術分野】
本発明は、マンションや事務所等の空き部屋を仕切ったり、イベント会場や展示会場等において広い空間を複数の部屋に仕切る場合の組立式間仕切に関する。
【０００２】
【従来の技術】
従来、この種の組立式間仕切としては、例えば図１３に示したものが知られている。これは、天井面１と床面２に溝付の野縁レール３と床レール４とをそれぞれ固定し、これら野縁レール３および床レール４に壁パネル５の上下縁をそれぞれ嵌め入れて間仕切を構成するものである（特開平１０−１９６０２号）。
【０００３】
【発明が解決しようとする課題】
しかしながら、上記従来の組立式間仕切にあっては、天井面１や床面２に壁パネル５を取付けるためのレール３，４を予め設置しておかねばならないために、組立て及び取外しの工数が掛かる他、間仕切り場所が固定されてしまい、自由なレイアウト変更が困難であった。また、レール３，４が天井面１や床面２にむき出しの状態で設置されているので、間仕切をしないで広く使用する場合、邪魔になる等不便な点があった。
【０００４】
そこで、本発明の目的は、間仕切の組み立て及び取り外しを極めて簡易な手段で行なうことができると共に、床パネルと壁パネルの組み合わせ方によって空間を自由に仕切ることができ、必要な時にどこにでも設置可能な組立式間仕切を提供することにある。
【０００５】
【課題を解決するための手段】
すなわち、本発明の請求項１に係る組立式間仕切は、隣接して並べ置いた床パネル間に床レールを配設し、この床レールに設けた両側の水平フランジをそれぞれの床パネルの端縁に固定して床パネル同士を連結すると共に、床レールに設けた凹溝に壁パネルを立設することで隣接する床パネル間を仕切るようにしたことを特徴とする。
【０００６】
また、本発明の請求項２に係る組立式間仕切は、前記床パネルが方形であることを特徴とする。
【０００７】
また、本発明の請求項３に係る組立式間仕切は、前記壁パネルの上端部に嵌め込まれた天井レールと、この天井レールに設けた水平フランジに周縁部が載置される天井パネルとを備えることを特徴とする。
【０００８】
また、本発明の請求項４に係る組立式間仕切は、前記床レールの凹溝の深さが、床パネルの厚さと略同一であることを特徴とする。
【０００９】
また、本発明の請求項５に係る組立式間仕切は、前記床レールに立設された壁パネルの端縁と、これと直交する床レールに立設された壁パネルの端縁を連結金具によって密着させたことを特徴とする。
【００１２】
【発明の実施の形態】
以下、添付図面に基づいて本発明に係る組立式間仕切の実施の形態を詳細に説明する。図１は本発明に係る組立式間仕切の基本モジュールを、図２及び図３は基本モジュールを２個連結した時の状態をそれぞれ示したものである。この基本モジュールは、図１乃至図４に示したように、フロア１１上に載置される方形状の床パネル１２と、この床パネル１２の四周に取付けられる床レール１３と、この床レール１３に設けられた凹溝１４に下端縁が嵌め込み支持される壁パネル１５と、四周を取り囲む壁パネル１５の各上端部を嵌め込み支持する天井レール１６と、壁パネル１５の上部に被せる天井パネル１７とで構成される。床パネル１２及び天井パネル１７の隅部にはＬ形コーナ金具１８が配置され、縦横方向の床レール１３及び天井レール１６の端部同士とつながっている。なお、基本モジュールの正面の壁パネル１５にはドア２１が付いている。また、図２及び図３に示したように、基本モジュールを２個連結する場合には両方の基本モジュールを仕切る床レール１３’、天井レール１６’及び壁パネル１５’が共通しており、さらに仕切り部分での床パネル１２及び天井パネル１７の隅部にはＴ形コーナ金具２２が配置されている。
【００１３】
図４に示したように、上記床パネル１２は所定サイズの合板材１２ａとその下面側の周囲に設けたフレーム材１２ｂとで形成され、また天井パネル１７は床パネル１２と同一サイズの薄板材１７ａとその上面側の周囲に設けたフレーム材１７ｂとで形成されている。これらの床パネル１２及び天井パネル１７は、いずれも規格化された同一サイズの正方形あるいは長方形の板材が使用され、例えばトランクルームとして使用する場合は、図５に示したように、一辺が１３５０ｍｍ又は１８００ｍｍの正方形（図５のａとｂ）か、縦・横が１３５０ｍｍ×１８００ｍｍの長方形（図５のｃとｄ）を基本形状とするのが取り扱い易い。
【００１４】
上記床レール１３及び天井レール１６は、図６に示したように、長尺の鉄板をプレス加工したもので、断面コ字形状の凹溝１４と、この凹溝１４の上端から外側に折れ曲がる水平フランジ１９ａ，１９ｂとで構成される。凹溝１４は開口幅寸法ｗが壁パネル１５の厚みと略同じであり、また水平フランジ１９ａ，１９ｂまでの高さ寸法ｈが床パネル１２の厚みと略同じである。一方、水平フランジ１９ａ，１９ｂには床パネル１２又は天井パネル１７の端縁に固定するための釘打穴２０が数箇所に設けられている。これらの床レール１３及び天井レール１６は共通部材が使われており、図６に示したように凹溝１４を上に向けた状態では床レール１３としト使用され、またこれを上下逆すると天井レール１６として使用できる。
【００１５】
壁パネル１５は、上記床レール１３及び天井レール１６の凹溝１４にぴったりと嵌まり込む厚さを有する矩形状の平板であり、図４に示したように、２枚の薄板材１５ａ，１５ｂでフレーム材１５ｃを挟み込んだサンドイッチ構造のものである。床パネル１２が正方形の場合には四方を囲む壁パネル１５はいずれも同一形状のものが使われ、その内の一枚にドア２１が付いている。
【００１６】
床パネル１２の各コーナ部に配置されるＬ形コーナ金具１８は、図７に示したように、直交する床レール１３の端部同士を接続するＬ字形の凹溝２５ａ，２５ｂと、床パネル１２の隅部を突き当てる突き当て面２６と、水平フランジ２７とを有し、床レール１３とは一直線上に位置する。上記凹溝２５ａ，２５ｂ内にはストッパ壁２８ａ，２８ｂが形成されており、図９に示したように、直交する２方向から差し込んだ二枚の壁パネル１５，１５はそれぞれのストッパ壁２８ａ，２８ｂで位置決めされ、壁パネル１５，１５の端縁同士が合わさって密着する。このＬ形コーナ金具１８は、上下を逆にすることで天井パネル１７のコーナ部での連結にそのまま使用することができる。なお、図１０に示したように、壁パネル１５，１５の端縁が開かないように、両側にスリット２９が形成されたＬ形の連結金具３０を利用し、これを左右の壁パネル１５の端面から突設させた係止ピン３１に係合させることが望ましい。このような連結金具３０を利用することで、組み立てた後の部屋内部の気密性及び遮音性を向上させることができると共に壁パネル１５の直立性を高めることもできる。また、組み立て時にも壁パネル１５が倒れ難くなるので、一人で簡単に組立てることが可能となる。
【００１７】
もう一方のＴ形コーナ金具２２は、隣り合う床パネル１２同士を連結する場合に使用するもので、図８に示したように、前述の床レール１３の端部を３方向で連結するＴ形の凹溝３２ａ，３２ｂ，３２ｃを有する。これらの凹溝３２ａ，３２ｂ，３２ｃ内には壁パネル１５の端部の位置決めを行なうストッパ壁３３ａ，３３ｂ，３３ｃが形成されると共に、隣り合う２枚の床パネル１２の各隅部を位置決めする突き当て部３４ａ，３４ｂが左右対称に形成されている。従って、図９に示したように、両側から差し込んだ二枚の壁パネル１５及びこれと直交する方向から差し込んだ壁パネル１５が各ストッパ壁３３ａ，３３ｂ，３３ｃで位置決めされ、その位置で３枚の壁パネル１５の端縁同士が合わさって密着する。なお、端面同士の接合には前述の連結金具３０を使用することができる。また、上述のＬ形コーナ金具１８と同様、Ｔ形コーナ金具２２も上下を逆にすることで隣り合う２枚の天井パネル１７，１７の連結にそのまま使用することができる。
【００１８】
次に、上記構成からなる組立式間仕切の組立て手順を図２乃至図４に基づいて説明する。
▲１▼先ず、フロア１１に２枚の床パネル１２を左右に並べて敷く。
▲２▼次に、各床パネル１２の周縁に床レール１３を配置し、内側の水平フランジ１９ａを床パネル１２の端縁に沿って数箇所くぎ打ちして固定する。また、隣り合う床パネル１２の間に挟み入れた床レール１３’は、両側の水平フランジ１９ａ，１９ｂをそれぞれの床パネル１２の端縁に固定して左右の床パネル１２同士を連結する。
▲３▼次に、床パネル１２の隅部にＬ形コーナ金具１８を配設して床レール１３の前後端を連結すると共に、２枚の床パネル１２の間に挟まれた床レール１３’の前後はＴ形コーナ金具２２によって連結する。
▲４▼上記床パネル１２の外周に配した床レール１３及び隣り合う２枚の床パネル１２間に配した床レール１３’の各凹溝１４に順次壁パネル１５の下端部を嵌め込んで壁パネル１５を立設する。この作業の際、壁パネル１５が倒れないように、必要応じて隣り合う壁パネル１５同士をＬ形の連結金具３０で連結する。
▲５▼天井パネル１７を被せない場合には、床レール１３の外周に沿って巾木３５を配設することで組み立て作業を完了する。この巾木３５は床レール１３の水平フランジ１９ａの下面空間に嵌まり込む断面矩形状の角材で、水平フランジ１９ａに固定される。床パネル１２の周囲に巾木３５を配設することで、床レール１３の外周部での見映えが向上すると共に、水平フランジ１９あに引っ掛かるといったことがない。
▲６▼一方、天井パネル１７を被せる場合には、前記床パネル１２の周囲全体を囲んだ壁パネル１５の上端部に天井レール１６，１６’を嵌め入れ、さらに天井レール１６の端部にＬ形コーナ金具１８を、天井レール１６’の端部にＴ形コーナ金具２２をそれぞれ配置する。この場合、図１１に示すように、壁パネル１５の端部をＬ形コーナ金具１８に釘２３で固定し、また壁パネル１５’の端部をＴ形コーナ金具２２に釘２３で固定する。
▲７▼次に、上記天井レール１６の水平フランジ１９ａ，１９ｂ及びコーナ金具１８，２２の各突き当て部２６，３４ａ，３４ｂに天井パネル１７を載せ、天井パネル１７の周縁を天井レール１６の水平フランジ１９ａ，１９ｂに固定する。
▲８▼最後に、図４及び図１１に示したように、天井パネル１７の周囲数箇所にパッキン３６を装着して天井パネル１７のガタ付きを抑えると共に、天井レール１６の外側の水平フランジ１９ｂ上に巾木３７を配設する。なお、前記パッキン３６を天井パネル１７に全周に装着した場合には、内部の気密性や遮音性も向上し、さらにこの組立式間仕切を野外で利用する際には雨水等の侵入を防ぐことができる。
【００１９】
図１に示したような基本モジュール１個だけの組み立て及び基本モジュールを多数連接した時の組み立ても上記と略同様の手順で行なうことができる。
【００２０】
図１２は、上記実施例における基本モジュールを多数連結して広いフロア１１に２７室の組立式間仕切を設置したときの一例である。本発明の組立式間仕切は、マンションや貸ビルの空き部屋などを利用したトランクルーム、イベント会場等における仮設の更衣室や物置、展示会場におけるブースあるいは、展示用ボード、災害非難時、体育館内等における仮眠スペース、その他迷路等のアミューズメント施設としての用途が考えられる。
【００２１】
なお、上記実施例では床パネル１２、壁パネル１５及び天井パネル１７で組み立てたものを基本モジュールとしたが、このような構成に限定されるものではなく、例えば床パネル１２と壁パネル１５のみで構成し、あるいは床パネル１２と仕切り壁としての一枚の壁パネル１５を基本モジュールとして組み合わせてもよい。
【００２２】
【発明の効果】
以上説明したように、本発明に係る組立式間仕切によれば、床パネルの端縁に取り付けた床レールに壁パネルを立設するだけの簡単な構造なので、間仕切の組み立て及び取り外しを極めて簡易な手段で行なうことができる。また、床パネルと壁パネルの組み合わせ方によって多様な形状の間仕切ができると共に、その後のレイアウト変更や拡張が容易である。さらに、設置場所も屋内に限られず屋外でも簡単に間仕切スペースの仮設が可能である。
【００２３】
また、組立ての手順も床レールと床パネルの固定及び壁パネルとコーナ金具の固定に要する釘打ちのみであるため、組立てに要する時間も少なく、一人でも簡単に組立てや解体ができる。また、組立て、解体時にごみを出すことがなく、解体した後の保管スペースも少なくて済む。
【００２４】
さらに、床、天井、壁に使用されるパネルのサイズが規格化されているので、共通部材が多く、製造コストの低廉化が図られる。
【図面の簡単な説明】
【図１】本発明に係る組立式間仕切の基本モジュールの完成斜視図である。
【図２】上記基本モジュールを２つ並設したときの組み立て工程を示す斜視図である。
【図３】上記図２に示した間仕切の組立完成間近の斜視図である。
【図４】上記図１のＡ−Ａ線断面図である。
【図５】床パネルの基本サイズの例を示す説明図である。
【図６】床レール及び天井レールの斜視図である。
【図７】Ｌ形コーナ金具の斜視図である。
【図８】Ｔ形コーナ金具の斜視図である。
【図９】上記図３のＢ−Ｂ線断面図である。
【図１０】壁パネルの端面同士を密着させる連結金具の一例を示す斜視図である。
【図１１】上記図３における組立式間仕切の部分平面図である。
【図１２】本発明に係る組立式間仕切のフロアプランの一例を示す平面図である。
【図１３】従来の間仕切構造の一例を示す斜視図である。
【符号の説明】
１２  床パネル
１３  床レール
１４  凹溝
１５  壁パネル
１６  天井レール
１７  天井パネル
１８  Ｌ形コーナ金具
１９ａ，１９ｂ  水平フランジ
２２  Ｔ形コーナ金具
３０  連結金具
【図１】
0003949835.tif 000002
【図２】
0003949835.tif 000003
【図３】
0003949835.tif 000004
【図４】
0003949835.tif 000005
【図５】
0003949835.tif 000006
【図６】
0003949835.tif 000007
【図７】
0003949835.tif 000008
【図８】
0003949835.tif 000009
【図９】
0003949835.tif 000010
【図１０】
0003949835.tif 000011
【図１１】
0003949835.tif 000012
【図１２】
0003949835.tif 000013
【図１３】
0003949835.tif 000014